(57)【要約】【目的】  本発明は推進管端を側面孔にて受け入れたときの可撓ゴム継手の取付けの困難を解消する潜函布設するマンホール用の止水器を新規に提供するものである。【構成】  本発明はマンホールに推進管を受け入れる側面孔と下端に潜凾布設用の刃体を装備し、該側面孔の外面に短円筒形の止水器筐体を張出し取付け、該筐体内に剥ぎ取り可能な仮蓋を有すシール用のゴムリングと土砂水の外圧を防止する耐圧輪板とおよび側面孔を抜き外し可能に閉塞するシャッター板とを固定ボルトにて串挿しナット止め収容して、該側面孔内を可撓ゴム継手の張設を可能に開放し、下部の潜凾布設用の刃体を止水器の張出し分において外側に突出し形成し、該止水器筐体外より推進管端を側面孔内に受け入れの際にシール用のゴムリングが推進管表に圧接して水封止するようにしたことを特徴とするマンホールの止水器にある。【選択図】        図１
2009243079.tif 000002
【特許請求の範囲】
【請求項１】
マンホールに推進管を受け入れる側面孔と下端に潜凾布設用の刃体を装備し、該側面孔の外面に短円筒形の止水器筐体を張出し取付け、該筐体内に剥ぎ取り可能な仮蓋を有すシール用のゴムリングと土砂水の外圧を防止する耐圧輪板とおよび側面孔を抜き外し可能に閉塞するシャッター板とを固定ボルトにて串挿しナット止め収容して、該側面孔内を可撓ゴム継手の張設を可能に開放し、下部の潜凾布設用の刃体を止水器の張出し分において外側に突出し形成し、該止水器筐体外より推進管端を側面孔内に受け入れの際にシール用のゴムリングが推進管表に圧接して水封止するようにしたことを特徴とするマンホールの止水器。
【請求項２】
シャッター板はナットの止穴と大きい遊嵌穴とを交互に設けて、半数のナットの外しにて抜き外し得るようにした請求項１に記載の止水器。
【請求項３】
シャッター板は別途内側に内向きボルトを設けて、パイロット推進体を受け入れる小ゴムシート、小耐圧輪板および小シャッター板を串挿しナット止めする請求項１または２に記載の止水器。
【請求項４】
シール用のゴムリングは内端を延長して受け入れ推進管表への圧接幅を拡げてバンド止め水封止する請求項１乃至３のいずれかに記載の止水器。
【発明の詳細な説明】
【技術分野】
【０００１】
この発明はマンホールの潜凾布設時および推進管端の側面孔内受け入れ時における漏水を防止する止水器に関するものである。
【背景技術】
【０００２】
この種の止水器としては特許第３５９９３９４号公報がある。
該公報はマンホールの側面孔内にフランジを組み付け、側面孔より外側に張り出さないようにして覆い蓋とシールゴム板と覆い蓋を補強する補強板を並設した止水器を収容することを記載している。
【特許文献１】特許第３５９９３９４号公報
【発明の開示】
【発明が解決しようとする課題】
【０００３】
しかしながら、該公報はマンホールの側面孔内に止水器を設けるので、推進管端を側面孔にて受け入れたときの可撓ゴム継手の取付けに困難するという課題がある。
【課題を解決するための手段】
【０００４】
本発明は、マンホールの側面孔の外側に止水器を張出し形成して側面孔内を開放することで可撓ゴム継手の取付け困難を解消し、また止水器内に設けるシール用のゴムリングの内端を延長することで受け入れ推進管の管表に圧接する圧接幅を広げることで、可撓ゴム継手なしでも水封止を可能とし、さらにシャッター板にナットの止穴と大きい遊嵌穴とを交互させることで半数のナットを外すことで素早くシャッター板を抜き外し得るようにして、上記の公報の課題すべてを解消するほか、公報に記載のない技術上格段に進歩した止水器を提供するものである。
【発明の効果】
【０００５】
本発明は、マンホールの側面孔の外側に止水器を張出し形成して側面孔内を開放したので、受け入れ推進管との間に張設すべき可撓ゴム継手を困難なく取付けることができるという効果を生ずる。
【０００６】
シャツター板の止穴を大きい遊嵌穴と交互させることで半分以下の少ないナット外しにてシャッター板を素早く抜き外すことができるという効果を生ずる。
【０００７】
シール用のゴムリングの内端を延長することで受け入れ推進管表との間の圧接幅を拡げて、バンド止めすることで、可撓ゴム継手なしにても水封止を満足させることができるという効果を生ずる。
【発明を実施するための最良の形態】
【０００８】
本発明は、マンホールの側面孔の外面に短円筒形をした止水器を張出し形成して該側面孔内を可撓ゴム継手の取付け用に開放し、止水器内のシール用のゴムリングの内端を延長することで受け入れ推進管表との間で圧接幅を拡大して可撓ゴム継手なしでも水封止が可能になるようにし、さらにシャッター板の止穴と遊嵌穴を交互させることで少数のナットを外すだけでシャツター板を素早く抜き取ることができるようにしたのである。なおマンホールの下端の潜凾用刃体は止水器の張出し分において外側に突出するようにして潜凾布設に支障が生じないようにする。
【実施例１】
【０００９】
以下図面に基づいて第１実施例を説明する。
潜凾布設するマンホール１は側壁に側面孔を２を形成し、その外側に５０ｍｍの張出し幅において同径大きさの鍔付筐体３をアンカーボルト４止め取付けする。
【００１０】
図１乃至図２に示すように鍔付筐体３内には外側から仮蓋５ａ付のゴムリング５と、その内側に外部土砂水圧に耐応してゴムリング５を支える耐圧輪板６と、および側面孔２を閉塞するシャッター板７とを複数本の内向きボルト８にて串挿し固定する。各内向きボルト８は筐体３の内面に取付けた止板９にボルトヘッド８ａを溶接などして固定取付けする。なお、シャッター板７は図３に示すようにナットの止穴７ａとバカ穴と呼ばれる大きい遊嵌穴７ｂとを交互に形成するなどして半数以下の少ない数のナット７ｃを外すことでシャッター板７だけを素早く抜き外し得るようにする。
【００１１】
マンホール１の下端の潜凾用の刃体１０は筐体３の張出し分において外側に突出して潜凾布設に支障が生じないようにしている。
以上により第１実施例の止水器１１を構成する。
【００１２】
潜凾用の刃体１０の掘削により潜凾布設したマンホール１の側面孔２に土中推進する推進管１２端を受け入れするに当っては、図４乃至図６に示すように数少ない止穴７ａのナット７ｃを外して素早くシャッター板７を抜き外して側面孔２を開口し、外したナット７ｃにて耐圧輪板６を当て止め、続いて仮蓋５ａを剥ぎ取り外しして、止水器１１の外側から推進管１２端を受け入れるのである。耐圧輪板６にてゴムリング５は内側から支えられて推進管１２の管表に圧接して筐体３内への土砂と地下水の流入を防止する。推進管端１２が側面孔２の内端に到達したところで可撓ゴム継手１３を嵌め一端を側面孔２の内面に拡開バンド１４ａ止め圧着させ、他端を管表１２ａに圧接しバンド１４ｂ止め固定して水封止するようにする。
【実施例２】
【００１３】
図７に示す第２実施例は、推進管１２端に先導の細い公知ののパイロット推進体１２ｂを取付けた例であって、止水器は上記のほか、シャッター板７をゴムリング５と同形に形成し、中心孔７ｄの周囲に別途内向きボルト８ｂを設けて、小ゴムリング５ｃ、小耐圧輪板６ｂ、小シャッター板７ｅを串挿しナット７ｃ止めして止水器１１ａを構成させるのである。ゴムリング５の仮蓋５ａは装着していない。
【００１４】
パイロット推進体１２ａを受け入れるときは遊嵌穴７ｂを除くナット７ｃを外して小シャッター７ｅを抜き外し、小ゴムリング５ｃの仮蓋５ａを剥がしとって準備するほかは第１実施例と同じである。
【実施例３】
【００１５】
図８は可撓ゴム継手の他例を示すもので、可撓ゴム継手１３ａの一端を側面孔２の内面に圧着することにかえて、内向きボルト８を利用してナット７ｃ止めにて密着固定するようにしたのである。
【実施例４】
【００１６】
図９は可撓ゴム継手を使わずにゴムリング５の内端を延長するようにして受け入れ推進管表１２ａへの圧接幅を拡げてバンド１４ｂ止めするようにした例を示すものである。別途可撓ゴム継手の取付けを要しないので作業の迅速化とコストダウンを図ることができるものとなる。
【実施例５】
【００１７】
図１０は、止水器１１に土砂固め用の薬剤注入用孔を設けた例を示すもので、内向きボルト８間の１乃至数個所に止板９，ゴムリング５，シヤッター板７を貫通する薬剤注入口１５を設け、六角穴ボルト１６を抜き外し自在に螺挿止めして閉塞している。推進管端１２を受け入れる前に仮蓋５ａを少し剥がすことで推進管端１２の位置確認と同時に土砂の情況を把握することができるため、薬剤注入により固める必要がある場合には六角穴ボルト１６を抜き外して薬剤注入口１５を開口し、マンホール１の内側から薬剤注入用ホース（図示してない）を挿通し、側面孔２の外部周囲の土砂に薬剤を注入して固めるようにしたのである。作業後、薬剤注入孔１５は六角穴ボルト１６を螺挿して再閉塞する。マンホール１外部の薬剤注入設備を要せずしてマンホール１内から作業することができるので薬剤の注入が至極容易にできることとなる。
【産業上の利用可能性】
【００１８】
本発明は以上のようにして、マンホールの側面孔の外側に短円筒形にて止水器を張出し取付けするようにしたので、既製のマンホールに取付けることができ、潜凾布設は勿論、他の方法による布設にも適用することができて広く利用することができるものである。
【図面の簡単な説明】
【００１９】
【図１】（ａ）はマンホールに取付けた止水器部分の横断面図、（ｂ）は同、縦断面図
【図２】止水器の各部材を組付け前の状態にて示す拡大縦断面図
【図３】同、マンホール取付け側から見た部材別図
【図４】（ａ）はマンホールの内側から見た取付け状態図、（ｂ）は遊嵌穴を除く半数のナットを外してシャッター板を抜き外した状態図
【図５】推進管端の到達によりシャッター板を抜き外し、仮蓋を剥がした状態の部分平面図
【図６】推進管端を受け入れて可撓ゴム継手を装着した状態を示す横断端面図
【図７】パイロット推進体を取付けた推進管用の止水器を示すもので、（ａ）は小ゴムリング，小耐圧輪板，小シャッター板の取付け前の状態を示す縦断面図、（ｂ）は、同、マンホール側から見た各部材図
【図８】可撓ゴム継手を内向きボルトとナットにて固定した実施例を示す横断半平面図
【図９】ゴムリングの延長部をバンド締めして水封止する実施例を示す横断半平面図
【図１０】薬剤注入口を設けた例を示し、（ａ）はマンホール側から見た図、（ｂ）は（ａ）のｂ−ｂ線縦断面図
【符号の説明】
【００２０】
１は潜凾布設するマンホール
２は側面孔
３は鍔付筐体
３ａは鍔
３ｂはボルト穴
４はアンカーボルト
５はゴムリング
５ａは仮蓋
５ｂは止穴
５ｃは小ゴムリング
６は耐圧輪板
６ａは止穴
６ｂは小耐圧輪板
７はシャツター板
７ａは止穴
７ｂは遊嵌穴
７ｃはナット
７ｄは中心孔
７ｅは小シャッター板
８は内向きボルト
８ａはボルトヘッド
８ｂはシャッター板に設けた内向きボルト
９は止板
１０は刃体
１１，１１ａは止水器
１２は推進管
１２ａは管表
１２ｂはパイロット推進体
１３，１３ａは可撓ゴム継手
１４ａは拡開バンド
１４ｂは締付けバンド
１５は薬剤注入口
１６は六角穴ボルト
１７は接着剤
【図１】
2009243079.tif 000003
【図２】
2009243079.tif 000004
【図３】
2009243079.tif 000005
【図４】
2009243079.tif 000006
【図５】
2009243079.tif 000007
【図６】
2009243079.tif 000008
【図７】
2009243079.tif 000009
【図８】
2009243079.tif 000010
【図９】
2009243079.tif 000011
【図１０】
2009243079.tif 000012